(57)【要約】【課題】重曹を単独で用いた場合に比して洗浄効果を高めることができ、しかも使用者の手指等が荒れる問題を低減でき、更に万が一洗剤が食器類等に残留しても問題のない洗剤を提供する。【解決手段】重曹にショ糖を添加して洗剤とする。【選択図】なし【特許請求の範囲】
【請求項１】
重曹にショ糖を添加してなることを特徴とする洗剤。
【請求項２】
重曹にショ糖を１０〜３０重量％の割合で添加した請求項１に記載の洗剤。
【発明の詳細な説明】
【技術分野】
【０００１】
本発明は、高い安全性を保持して洗浄力を有意に高めることができる洗剤、特に家庭用の洗剤に関するものである。
【背景技術】
【０００２】
食器類等の台所用品及びシンク、レンジ、台所用換気扇等の台所周り、及び浴槽並びに浴室用換気扇等の浴室周りの洗浄に用いられる家庭用の洗剤としては、従来より種々のものが提案されている。
【０００３】
例えば、家庭用の食器洗い機用の洗剤としては、アルカリ性塩類、界面活性剤、カルボキシメチルセルローズのナトリウム塩又はカリウム塩を配合した食器洗い機用洗剤がある（特許文献１）。
【特許文献１】特開平０５−７８６９８号公報
【発明の開示】
【発明が解決しようとする課題】
【０００４】
前記特許文献１の食器洗い機用洗剤は、洗浄力が強く細菌が残留しない洗剤を提供することを目的としたものである。一般に、この種の洗剤は、強アルカリ性による剥離作用を主に利用して食器類等に付着した動物油、植物油（以下単に油分と称す）を除去するようにしており、又、これに硬度成分をマスクするキレート剤や有機酸を配合し、更に、次亜塩素酸ソーダ等の塩素剤を配合して殺菌まで行うようにしたものがある。
【０００５】
しかし、特許文献１の洗剤を家庭用の食器類等の洗浄に用いる場合には、使用者の手指等に直接触れるために、手指が荒れる等といった問題があり、このためにアルカリ性を低くして、弱アルカリ性とすることによって安全性を図ることが考えられるが、この場合には充分な洗浄効果が得られなくなってしまう。一方、洗浄力の低下を補うために界面活性剤等を配合することも一般的に行われているが、界面活性剤を用いた場合には、洗剤が食器類等に残留した場合に安全性の面で問題が生じる可能性がある。
【０００６】
一方、食器類等の洗浄に重曹（炭酸水素ナトリウム或いは重炭酸ソーダ）を用いることが従来から行われている。重曹はその研磨性とアルカリ性を洗浄に利用したものであり、重曹を用いた洗剤は多数市販されている。重曹はそれ自体が医薬品やべーキングパウダー等の食用として用いられるものであり、安全性の面では問題がない。
【０００７】
一方、重曹はそれを単独で洗剤として用いても、特に前記油分に対しては余り高い洗浄力を得ることができない。このために、洗浄力を高めようとして油脂や合成洗剤を添加すると安全性の面で問題が生じる可能性がある。
【０００８】
本発明は、上記実情に鑑みてなしたもので、安全性に優れ、重曹を単独で用いた場合に比して洗浄効果を有意に高めることができる洗剤を提供することを目的としてなしたものである。
【課題を解決するための手段】
【０００９】
請求項１に記載の発明は、重曹にショ糖を添加してなることを特徴とする洗剤、に係るものである。
【００１０】
請求項２に記載の発明は、重曹にショ糖を１０〜３０重量％の割合で添加した請求項１に記載の洗剤、に係るものである。
【発明の効果】
【００１１】
本発明の洗剤によれば、重曹にショ糖を例えば１０〜３０重量％の割合で添加すると、重曹を単独で用いた場合に比して洗浄効果を有意に高めることができる効果がある。しかも、本発明の洗剤は使用者の手指等の保水性を向上させ乾燥を遅らせることにより手が荒れる問題を防止することができ、更に、重曹とショ糖は何れも食用に用いられるものであるから、万が一、洗剤が食器類等に残留しても何ら問題を生じることがないので安全面で優れている効果がある。
【発明を実施するための最良の形態】
【００１２】
以下、本発明の実施の形態を説明する。
【００１３】
本発明者らは、重曹ＮａＨＣＯ3にショ糖Ｃ12Ｈ22Ｏ11（一般に用いられている砂糖）を添加すると、重曹のみを用いた場合に比して洗浄力が高められることを得て本発明を完成した。
【００１４】
特に、重曹にショ糖を１０〜３０重量％で添加すると、重曹のみを用いた場合に比して洗浄力が有意に高められることを得た。しかも、重曹にショ糖を添加した洗剤は、使用者の手指等の保水性を向上させて乾燥を遅らせることにより手が荒れる問題を防止することができることを得た。又、万が一食器類等に洗剤が残留しても、重曹とショ糖は何れも食用に用いられるものであるため安全の面で優れていることを得た。又、ショ糖はアルカリに対してかなり安定であるために、洗浄に使用する水溶液の状態ではショ糖は重曹に対し安定して均一に混合されることを得た。一方、ショ糖は吸湿性を有しているため本発明の洗剤は、吸湿を防止できる容器或いは除湿が施された環境に保管することが好ましい。
【００１５】
本発明の洗剤による有効性を確認するための試験を次のように行った。
【００１６】
（１）［試験溶液の作成］
重曹９０重量％＋ショ糖（砂糖）１０重量％の実施例１による本発明品１、重曹８０重量％＋ショ糖（砂糖）２０重量％の実施例２による本発明品２、重曹７０重量％＋ショ糖（砂糖）３０重量％の実施例３による本発明品３、重曹６０重量％＋ショ糖（砂糖）４０重量％の実施例４による本発明品４、重曹５０重量％＋ショ糖（砂糖）５０重量％の実施例５による本発明品５、及び比較のための水道水（比較例）、重曹単独（比較例）での各試験溶液を［表１］の如く作成した。
【００１７】
［表１］
試  験  溶  液
Ａ  水道水（比較例）
Ｂ  重曹の５重量％水溶液（比較例）
Ｃ  本発明品１の５重量％水溶液
Ｄ  本発明品２の５重量％水溶液
Ｅ  本発明品３の５重量％水溶液
Ｆ  本発明品４の５重量％水溶液
Ｇ  本発明品５の５重量％水溶液
【００１８】
（２）［合成汚れの作成］
食用大豆油１０ｇに０．１ｇの油溶性染料（Ｏｌｅｏｓｏｌ  Ｆａｓｔ  Ｙｅｌｌｏｗ２Ｇ）を加えて均一に良く撹拌したものを合成汚れとした。
【００１９】
（３）［試験片の作成］
テストピースとしてマイクロスライドガラス（ｍｉｃｒｏ  ｓｌｉｄｅ  ｇｌａｓｓ）〔２６×７６×０．８〕を使用し、７個のテストピースＴ１〜Ｔ７の夫々の片面に、図１に示す如く前記（２）の合成汚れを略全面に均一に延ばして塗布し、１時間常温にて放置し乾燥した。その後、各テストピースＴ１〜Ｔ７に塗布した合成汚れの塗布量を測定した。合成汚れの塗布量Ｗは、合成汚れ塗布・乾燥後の各テストピースの重量をＷ１、合成汚れ塗布前の各テストピースの重量をＷ２としたとき、Ｗ＝Ｗ１−Ｗ２として求めた。各テストピースＴ１〜Ｔ７の合成汚れの塗布量Ｗは［表２］の如くであった。
【００２０】
［表２］
テストピース名      合成汚れ塗布量Ｗ（ｇ）
Ｔ１                ０．２５２
Ｔ２                ０．２５５
Ｔ３                ０．２５４
Ｔ４                ０．２５１
Ｔ５                ０．２５４
Ｔ６                ０．２５１
Ｔ７                ０．２５０
【００２１】
（４）［洗浄力比較試験］
以下のようにして洗浄力比較試験を行った。
【００２２】
（４−１）  浸漬試験
前記（３）で作成したテストピースＴ１〜Ｔ７を、夫々前記（１）で作成した試験溶液Ａ，Ｂ，Ｃ，Ｄ，Ｅ，Ｆ，Ｇ（約２５℃）に３０分間浸漬した後、引き上げ、常温にて１２時間乾燥した。乾燥後の各テストピースＴ１〜Ｔ７の重量を測定した。
【００２３】
（４−２）  水洗い洗浄
試験管（１２０ｃｃ）に水道水を１００ｃｃ入れ、その中に前記（４−１）で乾燥した各テストピースＴ１〜Ｔ７を入れて上下に１０回振り動かして洗浄を行い、その後水道水から引出し、常温にて１２時間乾燥させた。乾燥後の各テストピースＴ１〜Ｔ７の重量を測定した。
【００２４】
（４−３）  評価
各テストピースＴ１〜Ｔ７の水洗い洗浄前の重量から、各テストピースＴ１〜Ｔ７の水洗い洗浄後の重量を引算し、合成汚れの残存率を求めて洗浄力を評価した。
【００２５】
各テストピースＴ１〜Ｔ７の試験溶液Ａ，Ｂ，Ｃ，Ｄ，Ｅ，Ｆ，Ｇに対する洗浄性能結果を［表３］に示した。［表３］では試験溶液の洗浄力を比較し易くするために、水道水の洗浄残存率を１として各試験溶液の残存率を比較換算して比較値で示した。
【００２６】
【表３】
2005171132.tif 000002
【００２７】
［表３］に示す比較値から明らかな如く、重曹にショ糖を添加した本発明品１，２，３，４，５は、Ｂの重曹を単独で使用した場合の比較値（０．５５９）に対して何れも低い値を示しており、よって、重曹にショ糖を添加することにより、重曹を単独で使用した場合に比して洗浄効果を大幅に高め得ることが判明した。
【００２８】
特に、重曹８０重量％＋ショ糖（砂糖）２０重量％の実施例２による本発明品２は比較値が０．２４５であり、重曹９０重量％＋ショ糖（砂糖）１０重量％の実施例１による本発明品１の０．３５３、及び重曹７０重量％＋ショ糖（砂糖）３０重量％の実施例３による本発明品３の０．２９３よりも残存率が低くなっており、よって重曹に対するショ糖の添加量が約２０重量％近傍において洗浄効果が最も高くなるピークが存在すると考えられる。
【００２９】
（５）［保水性の比較試験］
（５−１）  試験片の作成
直径６ｃｍ以上の濾紙を用意し、３ｃｍ×５ｃｍの長方形に切断し、秤量したものを１４枚用意した。
【００３０】
（５−２）  保水性の比較試験方法
用意した１４枚の試験片を、前記（１）で作成した試験溶液Ａ，Ｂ，Ｃ，Ｄ，Ｅ，Ｆ，Ｇに対し、各２枚の試験片を用いて１０分間浸透させて引出し、３０分間、６０分間、１２０分間放置後に夫々秤量した。
【００３１】
（５−３）  評価
各２枚の試験片の溶液浸透前と浸透後の重量を比較し、更にその２回の試験の平均値を求めて保水性を評価した。
【００３２】
各試験片１〜１４の試験溶液Ａ，Ｂ，Ｃ，Ｄ，Ｅ，Ｆ，Ｇに対する保水性の比較試験結果を［表４］に示した。［表４］では試験溶液の保水性を比較し易くするために、水道水の保水率を１として各試験溶液の保水率を比較換算して比較値で示した。
【００３３】
【表４】
2005171132.tif 000003
【００３４】
［表４］における１２０分間放置後の比較値について見ると、重曹にショ糖を添加した本発明品１，２，３，４，５は、Ｂの重曹を単独で使用した場合の比較値（１４．８３）と略均等の値を示しており、特に本発明品１，２，３では、Ｂの重曹を単独で使用した場合の比較値より高い値を示している。
【００３５】
従って、重曹にショ糖を添加した本発明では、重曹を単独で使用した場合に対して同等或いはそれ以上の保水性を有するので、使用者の手指等の保水性を向上させて乾燥を遅らせることにより手が荒れる問題を防止することができる。
【００３６】
前記したように、重曹にショ糖を１０〜３０重量％の割合で添加すると、重曹単独の場合に対して洗浄効果を有意に高めることができ、特にショ糖の添加割合を２０重量％とした場合には最も高い洗浄効果を発揮することができ、一方、ショ糖の添加割合を４０重量％とした場合にも重曹単独の場合と同程度の洗浄効果を発揮することはできるが、ショ糖は重曹に比して高価であるため、重曹に対するショ糖の添加割合は１０〜３０重量％とすることが好ましいことが判明した。
【００３７】
尚、本発明の洗剤を構成する重曹とショ糖は、何れも食用に用いられるものであるから、万が一洗剤が食器類等に残留しても全く問題を生じることはなく、よって安全性の高い洗剤を提供することができる。
【実施例】
【００３８】
以下に本発明の実施例を示すが、本発明はこれらの実施例に限定されるものでないことは勿論である。
【００３９】
［実施例１］
重曹ＮａＨＣＯ3９０ｇに、砂糖１０ｇを添加混合して１００ｇの本発明品１を得た。
【００４０】
［実施例２］
重曹ＮａＨＣＯ3８０ｇに、砂糖２０ｇを添加混合して１００ｇの本発明品２を得た。
【００４１】
［実施例３］
重曹ＮａＨＣＯ3７０ｇに、砂糖３０ｇを添加混合して１００ｇの本発明品３を得た。
【００４２】
［実施例４］
重曹ＮａＨＣＯ3６０ｇに、砂糖４０ｇを添加混合して１００ｇの本発明品４を得た。
【００４３】
［実施例５］
重曹ＮａＨＣＯ3５０ｇに、砂糖５０ｇを添加混合して１００ｇの本発明品５を得た。
【図面の簡単な説明】
【００４４】
【図１】テストピースに合成汚れを塗布した状態を示す正面図である。
【図１】
2005171132.tif 000004